(57)【要約】【課題】  系切替え時に、ＩＰ網側の接続に時間を要し、通話の中断が発生する場合に、通話中の既存電話機及びＩＰ電話機の双方に、通話中断通知を行なう。【解決手段】  ＰＳＴＮインタフェースとＩＰ網インタフェースを持ち、かつ冗長性を持つ通信装置に、電話機とＩＰ電話機との通話状態を示すデータベースを備え、データベースを対向系及び音源サーバへ通知する機能を備え、自身にも音源送出機能を設けることにより、系切替え時に既存電話機とＩＰ電話機の双方に通話中断通知を行なう。【選択図】  図１
2007043368.tif 000002
【特許請求の範囲】
【請求項１】
電話網とＩＰ網とに接続され前記電話網に接続された電話機と前記ＩＰ網に接続されたＩＰ電話との通信を仲介する第１および第２のゲートウェイ装置と、前記ＩＰ網に接続された音源サーバとからなる通信装置であって、
前記第１のゲートウェイ装置と前記第２のゲートウェイ装置とは、通話中の電話機とＩＰ電話機との組のテーブルを共通に保持し、
前記音源サーバは、前記通話中のＩＰ電話機のテーブルを保持し、
運用系を前記第１のゲートウェイ装置から前記第２のゲートウェイ装置に変更するとき、前記第２のゲートウェイ装置は前記通話中の電話機に通話中断通知を送出し、前記音源サーバは前記通話中のＩＰ電話機に通話中断通知を送出することを特徴とする通信装置。
【発明の詳細な説明】
【技術分野】
【０００１】
本発明は、ＰＳＴＮとＩＰ網とを接続する通信装置に関し、更に詳しくは、通話サービスの中断が避けられない場合に、電話サービス利用者に対してサービスが中断していることを明示的に通知可能な機能を有する通信装置に関する。
【背景技術】
【０００２】
ＩＰ（Internet Protocol）技術の発展に伴い、音声信号をＩＰパケットに変換して通信するＩＰ電話サービスが普及している。この普及に伴い、従来からの公衆回線電話網（ＰＳＴＮ：Public Switched Telephone Network）とＩＰ電話網との相互接続が推進されている。このような状況下、公衆回線電話網においては、その網を構成する交換機が老朽化し、置き換えが必要となっている。また、従来の電話機端末は依然として利用されており、各種電話サービスをそのまま利用し続けたいという要望は高い。そのため、公衆回線電話網事業者は、従来の電話機端末のインタフェースを廃することはできない。その一方で、電話網技術の主流となりつつあるＩＰインタフェースを活用した新たな電話網の構築をも推進する必要に迫られている。そこで必要とされるのが、従来の電話網インタフェースとＩＰ網インタフェースの双方を持つ、ＶｏＩＰ機能内蔵型の交換機である。
【０００３】
この交換機では、従来のサービスを継承し、従来レベルの品質を確保する必要性から、冗長化構成が必須となる。このような冗長化構成を実現する上でひとつの重要技術となるのが、サービス稼動中における系の切替え方法であり、特に、通話の中断に対する考慮が重要である。特許文献１には、ＩＰ網インタフェースにおける無中断切替え方法について記述がある。
【０００４】
【特許文献１】特開２００５−５７４６１号公報
【発明の開示】
【発明が解決しようとする課題】
【０００５】
特許文献１に記載された方法によれば、ＩＰ音声パケットのプロトコル規定の特徴を踏まえた制御が可能である。しかし、現実的なＩＰ網構成では、冗長性を持つ装置自身がどんなにすばやく系切替えしたとしても、ＩＰ網側にあるルーターのような対向装置とＩＰアドレスのやりとりが発生する等、ＩＰ通信が可能となるまでには対向装置側の処理時間によるいくらかの時間を要するのが通常である。従って、系切替え時に通話が中断してしまうことを前提に、利用者が通話音声中断中においても通話を継続するように促すこと、例えば発信音やガイダンス音を聞かせるようなことが、実サービスにおいては現実的である。
【０００６】
前述に示した既存電話端末インタフェースとＩＰ網インタフェースを持つ通信装置において、既存電話端末とＩＰ電話機との間での通話接続が確立している間に交換機の系切替えが発生した場合、既存電話端末インタフェース側は極めて短時間の通話中断で系を切替える技術が確立されている。しかし、ＩＰ網側の接続に時間を要することから、既存電話機端末とＩＰ電話機との双方に発信音やガイダンスを流すことで通話が一時的に中断することを通知する機能を持たせる。しかし、ＩＰ電話機に対して通知を行なおうとしても、この処理は、新たな運用系がＩＰ網と接続していない状態において必要となる処理である。また、いかに短時間で通知のための通信確立を実現するかが、重要である。
【課題を解決するための手段】
【０００７】
上述した課題は、電話網とＩＰ網とに接続され電話網に接続された電話機とＩＰ網に接続されたＩＰ電話との通信を仲介する第１および第２のゲートウェイ装置と、ＩＰ網に接続された音源サーバとからなり、第１のゲートウェイ装置と第２のゲートウェイ装置とは、通話中の電話機とＩＰ電話機との組のテーブルを共通に保持し、音源サーバは、通話中のＩＰ電話機のテーブルを保持し、運用系を第１のゲートウェイ装置から第２のゲートウェイ装置に変更するとき、第２のゲートウェイ装置は通話中の電話機に通話中断通知を送出し、音源サーバは通話中のＩＰ電話機に通話中断通知を送出する通信装置により、達成可能である。
【発明の効果】
【０００８】
電話網の電話機とIP網のIP電話機とが通話中に系切替えを実施するとき、通話中断通知を、電話機にも、IP電話機にも通知することができる。
【発明を実施するための最良の形態】
【０００９】
以下本発明の実施の形態に付いて、実施例を用いて図１ないし図４を参照しながら説明する。ここで、図１は、電話網の接続構成を説明するブロック図である。図２は、ゲートウェイ１００の制御部１４に格納する制御情報を説明する図である。図３は、音源サーバ２に格納するデータベースの情報を説明する図である。図４は、各ゲートウェイおよび音源サーバの処理のシーケンス図である。
【００１０】
図１において、電話網１０００は、ＰＳＴＮ ４００と、ＩＰ網３００と、ＰＳＴＮ ４００とＩＰ網３００両者を接続する２台の通信装置１００と、ＰＳＴＮ ４００に接続された電話機３と、ＩＰ網３００に接続された電話機４と音源サーバ２００とから構成されている。
【００１１】
通信装置１００は、ＰＳＴＮと接続するためのＴＤＭ（Time Division Multiplex）インタフェース部１１と、ＴＤＭ−ＩＰ変換を行なうＴＤＭ−ＩＰ変換部１３、ＩＰ網と接続するためのＩＰインタフェース部１５、通話中断発生時に電話網にその旨通知を行なうための音源部１２および各部を制御するための制御部１４とで構成され、障害発生時または保守作業を行なう際等に系切替えを可能とするため冗長な構成（１００−１、−２）としている。通信装置１００の制御部１４は、互いに接続されて、制御情報の送受信を行なう。また、この交絡線を通じて、運用系/待機系の切替えを行なう。なお、以降の説明では通信装置を便宜的にゲートウェイと表現する。
【００１２】
図２において、制御情報は、既存電話機とＩＰ電話機との通話状態を示すデータベース１５０と、ＩＰアドレス情報１６０と、その他待機系に引き継ぐべき情報１７０により構成される。さらに既存電話機とＩＰ電話機との通話状態を示すデータベース１５０は、通話中の電話機を収容しているＴＤＭ側チャネル番号情報１５１と、電話機と通話中のＩＰ電話機ＩＰアドレス情報１５２から構成される。また、ＩＰアドレス情報１６０は、自分自身のＩＰアドレス１６１、対向ゲートウェイのＩＰアドレス１６２、音源サーバのＩＰアドレス１６３から構成される。
【００１３】
制御情報は、運用系のゲートウェイ１００−１により作成され、何らかの変更があった場合には、待機系のゲートウェイ１００−２に通知される。したがって、自ＩＰアドレス１６１と対向系ＩＰアドレス１６２とが入れ替わる点を除いて、同じ情報をゲートウェイ１００は保有する。また、制御情報に変更があった場合には、運用系のゲートウェイ１００−１は、制御情報の一部をＩＰ網３００に接続された音源サーバ２００に送信する。
【００１４】
図３において、音源サーバのデータベースは、ゲートウェイのＩＰアドレス情報１８０と、通話中のＩＰ電話機ＩＰアドレス情報１９０からなる。ＩＰアドレス情報１８０は、運用系ゲートウェイＩＰアドレス１８１と待機系ゲートウェイＩＰアドレス１８２とからなる。ここで運用系ゲートウェイのＩＰアドレス１８１は、運用系のゲートウェイ１００−１から通知されたゲートウェイ自身のＩＰアドレス１６１と一致している。同様に、通話中のＩＰ電話機ＩＰアドレス情報１９０とは、同じく運用系のゲートウェイ１００−１から通知されたＩＰ電話機ＩＰアドレス情報１５２と一致している。
【００１５】
ここで、ゲートウェイのＩＰアドレス情報１８０は、各種通知の送信元確認に利用する。また、通話中のＩＰ電話機ＩＰアドレス情報１９０は、系切替え時に音源サーバ２００が送出する音源データの送出先である。
【００１６】
図４は、本発明によるゲートウェイ及び音源サーバの処理の流れを示した図であり、以降流れに沿って処理概要を説明する。運用系ゲートウェイ１００−１は、電話機とＩＰ電話機との通話が発生するたびに（Ｓ２００）、自身の制御部１４内の、通話状態を示すデータベース１５０にＴＤＭ側チャネル番号１５１と、ＩＰ網側電話機ＩＰアドレス１５２を格納する（Ｓ２０１）。運用系ゲートウェイ１００−１は、同じ情報を待機系ゲートウェイ１００−２に通知すると共に、ＩＰ網側電話機ＩＰアドレス１５２を音源サーバ２００に通知する（Ｓ２０２）。
【００１７】
待機中のゲートウェイ１００−２は、受け取ったメッセージ送信元を確認した後、データベース１５０を更新する（Ｓ４０１）。音源サーバ２００も同様に、受け取ったメッセージ送信元を確認した後、ＩＰ電話機ＩＰアドレス１９０として格納する（Ｓ３０１）。なお、以下、受け取ったメッセージ送信元を確認の記載を省く。
【００１８】
１ペア以上の加入者が通話中の状態で、ゲートウェイの運用系切替えが発生したとする。交絡線から切替えを検出したゲートウェイ１００−２は、まず音源サーバ２００に系切替え後の初期設定処理を開始したことを通知する（Ｓ４０２）。初期設定処理開始通知を受信した音源サーバ２００は、ＩＰ電話機ＩＰアドレス情報１９０に記録されたＩＰアドレス宛に、通話が中断中である旨の音源データ（通話中断通知）を送出する（Ｓ３０２。この時音源サーバは、運用系ゲートウェイＩＰアドレス１８１を使用して音源データを送出する。このため各ＩＰ電話機は、あたかもゲートウェイ１００−１からのデータであるものとして受信し、通話中の加入者に音源データを聞かせることができる。
【００１９】
ゲートウェイ１００−２は、ＴＤＭ側チャネル番号１５１に格納されている全チャネルに音源部１２を接続し、通話が中断中である旨の音源データ（通話中断通知）を送出する（Ｓ４０３）。ゲートウェイ１００−２は、ＩＰ網側の初期設定を実施する（Ｓ４０４）。初期設定が完了した後、ゲートウェイ１００−２は、音源サーバ２００に系切替え処理の完了を通知する（Ｓ４０５）。系切替え完了通知を受信した音源サーバ２００は、音源サーバ２００は、ゲートウェイのＩＰアドレス情報１８０を更新し（Ｓ３０３）、音源データの送出を停止する（Ｓ３０４）。
【００２０】
ゲートウェイ１００−２は、音源データを送出中であった通話中加入者のＴＤＭチャネルと、音源部１２を切り離し、音源データ送出を停止する（Ｓ４０６）。ゲートウェイ１００−２は、電話機とＩＰ電話機との通話状態を示すデータベース情報１５０に従ってＴＤＭ−ＩＰ変換部１３を設定し、通話を再開する（Ｓ４０７）。
【００２１】
以上の実施例により、ゲートウェイの系切替えの際には、電話網の加入者およびＩＰ電話機の加入者の双方に、通話中断通知を行なうことができる。
【図面の簡単な説明】
【００２２】
【図１】電話網の接続構成を説明するブロック図である。
【図２】ゲートウェイ１００の制御部１４に格納する制御情報を説明する図である。
【図３】音源サーバ２に格納するデータベースの情報を説明する図である。
【図４】各ゲートウェイおよび音源サーバの処理のシーケンス図である。
【符号の説明】
【００２３】
３…電話機、４…ＩＰ電話機、１１…ＴＤＭインタフェース部、１２…音源部、１３…ＴＤＭ−ＩＰ変換部、１４…制御部、１５…ＩＰインタフェース部、１００…通信装置（ゲートウェイ）、２００…音源サーバ、３００…ＩＰ網、４００…公衆回線電話網（ＰＳＴＮ）、１０００…電話網。
【図１】
2007043368.tif 000003
【図２】
2007043368.tif 000004
【図３】
2007043368.tif 000005
【図４】
2007043368.tif 000006